(57)【要約】【課題】複数台のインバータ装置が備える冷却装置をできるだけ有効に活用できるようにして放熱性能の高い電力変換装置を提供する。【解決手段】上下方向に並んで配置される冷却装置３０Ａと、冷却装置３０Ｂの間に、内部空間Ｓを形成する。吸気口ＩＮから内部空間Ｓに吸い込んだ空気を２台の冷却装置３０Ａ、３０Ｂに対して風洞１６にそれぞれ設けられた排気口ＯＵＴ１１，１２及びＯＵＴ２１，２２から外部空間ＯＳに排気するので、２つの強制空冷空間にある１つの内部空間Ｓを吸い込み流路として兼用する。【選択図】図５
2018186602.tif 000002
【特許請求の範囲】
【請求項１】
それぞれ冷却装置を備えた２台のインバータ装置が組になって構成される１以上のインバータユニットと、
前記１以上のインバータユニットの前記２台のインバータ装置のインバータ回路に含まれる複数の電力変換素子を制御するインバータ制御部と、
前記１以上のインバータユニットにおける、前記２台のインバータ装置の２台の前記冷却装置に前記複数の電力変換素子を装着する装着部分及び前記インバータ制御部が少なくとも収納されているインバータ用ケースを備え、
前記１以上のインバータユニットにおける、前記２台のインバータ装置の２台の前記冷却装置は、それぞれ前記装着部分を有するヒートシンクと前記ヒートシンクに空冷用空気を吹き付けるように前記ヒートシンクに沿って並ぶ複数台の送風機を備えた強制空冷装置を有しており、
前記インバータ用ケースの側面には、上下方向または横方向に並んで配置される前記１以上のインバータユニットにおける前記２台の冷却装置のための吸気口と排気口を備え、内部に前記１以上のインバータユニットにおける前記２台の冷却装置の前記装着部分を除いた主要部を収容する風洞が設けられており、
前記風洞の形状、前記吸気口及び排気口の数と位置、及び前記風洞内における前記１以上のインバータユニットの前記２台の冷却装置の配置は、１つの前記インバータユニットにおける前記２台の冷却装置の間に設けられた内部空間と連通する１つの前記吸気口から、前記２台の冷却装置の２台の前記強制空冷装置に含まれる前記複数台の送風機がそれぞれ吸い込んだ空気が、前記２台の冷却装置に対して前記風洞にそれぞれ設けられ１以上の前記排気口から外部空間に排気されるように定められていることを特徴とする電力変換装置。
【請求項２】
前記１以上のインバータユニットの前記２台の冷却装置のための１以上の前記吸気口は、前記風洞の前記インバータ用ケースの前記側面と対向しない１以上の側面に開口しており、前記１以上のインバータユニットの前記２台の冷却装置のそれぞれのための１つの前記排気口は、前記吸気口が設けられた前記風洞の前記１以上の側面以外の側面に開口している請求項１に記載の電力変換装置。
【請求項３】
前記１以上のインバータユニットの前記２台の冷却装置が前記上下方向に並んでおり、
前記風洞の底部には、下に位置する前記冷却装置のための追加の排気口が設けられている請求項２に記載の電力変換装置。
【請求項４】
前記１以上のインバータユニットの前記２台の冷却装置が前記上下方向に並んでおり、
前記風洞の上部には、上に位置する前記冷却装置のための追加の排気口が設けられている請求項２に記載の電力変換装置。
【請求項５】
一つの前記インバータユニットの前記２台の冷却装置と、該一つのインバータユニットに隣接する他の１つの前記インバータユニットの前記２台の冷却装置との間には、隣り合う２つの前記外側空間の連通を阻止する空間分離壁が前記風洞の内部に設けられている請求項１乃至４のいずれか１項に記載の電力変換装置。
【請求項６】
前記１以上のインバータユニットは一つあり、
前記２台の冷却装置は、前記上下方向に並んで配置されており、
前記風洞は前記上下方向の両端部に一対の開口部を有しており、
前記一対の開口部がそれぞれ前記排気口の少なくとも一部を構成している請求項１に記載の電力変換装置。
【請求項７】
前記風洞は、前記１以上のインバータユニットの前記２台の冷却装置が並ぶ並設方向の両端に一対の開口部を有しており、
前記風洞の内部には、前記並設方向及び前記複数の送風機が並ぶ方向と直交する方向に延びて、前記一対の開口部と前記風洞の内部空間を二分する空間分離壁が設けられており、
前記空間分離壁は、前記１以上のインバータユニットの２以上の前記ヒートシンク及び２以上の前記強制空冷装置に含まれる前記複数の送風機それぞれの機能を阻害しないように構成されている請求項１に記載の電力変換装置。
【請求項８】
前記ヒートシンクは、熱伝達流体が内部を循環する構造を有しており、
前記複数の送風機と対応する前記ヒートシンクとの間の空間は、前記複数の送風機毎に個別の流路を構成するように複数の仕切り壁によって仕切られている請求項１に記載の電力変換装置。
【請求項９】
前記インバータ用ケース内には、該インバータ用ケース内の温度を下げるために外気と熱交換を行う熱交換器と、該熱交換器に対して該インバータ用ケース内の空気を接触させるために該インバータ用ケース内で空気を循環させる空気循環装置が配置されている請求項１乃至８のいずれか１項に記載の電力変換装置。
【請求項１０】
前記インバータ用ケース内には、前記ｎ台の冷却装置の前記装着部分に装着された複数の電力変換素子を含む前記インバータ回路と前記制御ユニットとが、両者間に前記空気の循環路を形成するように間隔をあけて配置されている請求項９に記載の電力変換装置。
【請求項１１】
請求項１乃至１０のいずれか１項に記載の電力変換装置を備えて系統の無効電力を補償する無効電力補償装置。
【発明の詳細な説明】
【技術分野】
【０００１】
本発明は、無効電力補償装置等の電力機器に使用される放熱性能の高い電力変換装置に関するものである。
【背景技術】
【０００２】
実公昭６３−３０２３１号公報（特許文献１）、実開平３−１２２５９６号公報（特許文献２）及び特開２００４−３５６１３０号公報（特許文献３）には、送風機でインバータを構成する電力変換素子からの熱を強制的に放熱する従来の電力変換装置が開示されている。
【０００３】
また特開平９−３０７０３８号公報（特許文献４）には電力変換素子を装着したヒートシンクを有する複数台のモジュールを風ガイド（風洞）の内部に上下方向に間隔を開けて配置し、しかも各モジュールを水平方向に対して傾斜させた状態にして空冷性能を向上させた電力変換装置が開示されている。
【先行技術文献】
【特許文献】
【０００４】
【特許文献１】実公昭６３−３０２３１号公報
【特許文献２】実開平３−１２２５９６号公報
【特許文献３】特開２００４−３５６１３０号公報
【特許文献４】特開平９−３０７０３８号公報
【発明の概要】
【発明が解決しようとする課題】
【０００５】
特許文献１乃至４に開示された従来の電力変換装置の空冷技術を組み合わせても、複数台のインバータ装置のインバータ回路に含まれる複数の電力変換素子を冷却する複数のヒートシンクをそれぞれ冷却装置を用いて空冷する場合に、各冷却装置を有効に活用して各ヒートシンクをむらなく冷却でき、しかも寸法をコンパクトにすることができる構造を得ることができない問題がある。
【０００６】
本発明の目的は、複数台のインバータ装置が備える冷却装置をできるだけ有効に活用できるようにして放熱性能が高く且つ寸法がコンパクトな電力変換装置を提供することにある。
【０００７】
本発明の他の目的は、雨によって自己洗浄作用を発揮することができる電力変換装置を提供することにある。
【０００８】
本発明の更に他の目的は、電力変換装置の放熱性能が高く且つ寸法がコンパクトな無効電力補償装置を提供することにある。
【課題を解決するための手段】
【０００９】
本発明の電力変換装置は、それぞれ冷却装置を備えた２台のインバータ装置が組になって構成される１以上のインバータユニットと、１以上のインバータユニットの２台のインバータ装置のインバータ回路に含まれる複数の電力変換素子を制御するインバータ制御部と、１以上のインバータユニットにおける、２台のインバータ装置の２台の冷却装置にそれぞれ複数の電力変換素子を装着する装着部分及びインバータ制御部が少なくとも収納されているインバータ用ケースを備えている。１以上のインバータユニットにおける、２台のインバータ装置の２台の冷却装置は、それぞれ装着部分を有するヒートシンクとヒートシンクに空冷用空気を吹き付けるようにヒートシンクに沿って並ぶ複数台の送風機を備えた強制空冷装置を有している。そしてケースの外壁には、上下方向または横方向に並んで配置される１以上のインバータユニットにおける２台の冷却装置のための吸気口と排気口を備え、内部に１以上のインバータユニットにおける２台の冷却装置の装着部分を除いた主要部を収容する風洞が設けられている。風洞の形状、吸気口及び排気口の数と位置、及び風洞内における１以上のインバータユニットの２台の冷却装置の配置は、１つのインバータユニットにおける２台の冷却装置の間に設けられた内部空間と連通する１つの吸気口から、２台の冷却装置の複数台の送風機がそれぞれ吸い込んだ空気が、２台の冷却装置に対して風洞にそれぞれ設けられた１以上の排気口から外部空間に排気されるように定められている。
【００１０】
本発明によれば、２台の冷却装置の間に設けられた内部空間に吸い込んだ空気を２台の冷却装置に対して風洞にそれぞれ設けられた１以上の排気口から外部空間に排気するので、１つの内部空間を吸い込み流路として兼用することができる。そして内部空間の容積を大きくして複数台の送風機からヒートシンクに十分な空気を送風することができるようにしたとしても、２台の冷却装置が並ぶ方向の風洞の寸法をコンパクトにすることができる。その結果、本発明によれば、電力変換装置の放熱性能を高めて、しかも寸法もコンパクトに構成することができる。
【００１１】
１以上のインバータユニットの２台の冷却装置のための１以上の吸気口は、ケースの外壁と対向しない風洞の一つの側面に開口しており、１以上のインバータユニットの２台の冷却装置のそれぞれのための１つの排気口は、吸気口が設けられた風洞の１以上の側面以外の側面に開口しているのが好ましい。このようにすると１以上のインバータユニットの２台の冷却装置を用いる場合に、吸気する空気として排気された空気を直接的に吸い込むことを防止できる。
【００１２】
１以上のインバータユニットの２台の冷却装置が上下方向に並んでいる場合には、風洞の底部には、下に位置する冷却装置のための追加の排気口が設けられていてもよい。この構造は、特に電力変換装置が設置面から浮いた状態で設置される場合に、追加の吸気口を有効に活用して、吸気量を増大させることができる効果を発揮する。
【００１３】
１以上のインバータユニットの２台の冷却装置が上下方向に並んでいる場合には、風洞の上部には、上に位置する冷却装置のための追加の排気口が設けられていてもよい。
【００１４】
一つのインバータユニットの２台の冷却装置と、該一つのインバータユニットに隣接する他の１つのインバータユニットの２台の冷却装置との間には、隣り合う２つの外側空間の連通を阻止する空間分離壁が風洞の内部に設けられていてもよい。この空間分離壁を設けると、外側空間の容積を大きくしなくても、排気をスムーズに行うことができる。
【００１５】
１以上のインバータユニットが一つであり、２台の冷却装置が、上下方向に並んで配置される場合に、風洞は上下方向の両端部に一対の開口部を有しており、一対の開口部がそれぞれ排気口の少なくとも一部を構成してもよい。この構造を採用すると、電力変換装置が屋外に配置される電力機器に適用される場合、上側に位置する開口部から雨水が入ると、雨水は２台の冷却装置を通過して下側の開口部から流れ落ちることになり、この雨水の流れによって、風洞の内部の粉塵を洗い流すことが可能になる。
【００１６】
また風洞に、１以上のインバータユニットの２台の冷却装置が並ぶ並設方向の両端に一対の開口部を有しており、風洞の内部には、並設方向及び複数の送風機が並ぶ方向と直交する方向に延びて、一対の開口部と風洞の内部空間を二分する空間分離壁を設けることができる。この空間分離壁は、１以上のインバータユニットの２以上のヒートシンク及び２以上の複数の送風機それぞれの機能を阻害しないように構成する。このような構成を採用すると、風洞の内部に上下方向に貫通する２本の流路を構成することができる。この２本の流路は、電力変換装置が屋外に配置された場合には、雨水が横断面積の小さい２本の流路内を全体的に流れるため、雨水による洗浄を偏りなく実施することができる。
【００１７】
さらに２台の冷却装置が上下方向に並んでいる場合に、ヒートシンクとして、上下方向と直交する水平方向に延びており、且つ熱伝達流体が内部を循環する構造を有しているものを用いることができる。この場合には、複数の送風機と対応するヒートシンクとの間の空間は、複数の送風機毎に個別の流路を構成するように複数の仕切り壁によって仕切られているのが好ましい。このような仕切り壁を設けると、複数台の送風機のうち１台以上の送風機が故障により停止したときに、健全な送風機から送り出した送風が停止した送風機を回転させて、逆流を生じさせることを防止できる。このような仕切り壁を設けても、ヒートシンクが部分的に冷却されないだけで、ヒートシンク内の熱伝達流体はヒートシンク全体を流れているので、結果としてヒートシンクは全体に冷却されることになる。
【００１８】
インバータ用ケース内には、該インバータ用ケース内の温度を下げるために外気と熱交換を行う熱交換器と、該熱交換器に対して該インバータ用ケース内の空気を接触させるために該インバータ用ケース内で空気を循環させる空気循環装置が配置されていてもよい。このようにするとインバータ用ケース内を密封状態にすることができるので、インバータ装置の防塵及び防水を完全なものとすることができる。
【００１９】
インバータ用ケース内には、ｎ台の冷却装置の装着部分に装着された複数の電力変換素子を含むインバータ回路とインバータ制御部とが、両者間に空気の循環路を形成するように間隔をあけて配置されているのが好ましい。このようにするとインバータ用ケース内を密封状態にした場合に、電力変換素子から出る熱の一部がインバータ用ケース内に局部的に留まることを防止して、温度上昇が原因になって発生する回路または電子部品の誤動作の発生を防止できる。
【００２０】
本発明の電力変換装置は、系統の無効電力を補償する無効電力補償装置に使用することができる。
【図面の簡単な説明】
【００２１】
【図１】本発明の電力変換装置が使用される無効電力補償装置の回路図である。
【図２】（Ａ）乃至（Ｃ）は、実施の形態の無効電力補償装置の外観の正面図、平面図及び左側面図である。
【図３】（Ａ）は、二本の電柱に装荷される第１の実施の形態の無効電力補償装置の内部を透視した概略図であり、図３（Ｂ）は二本の電柱に装荷した実施の形態の無効電力補償装置の装着状況の概略を示す図である。
【図４】実施の形態の無効電力補償装置のインバータ用ケースの内部の配置構成を示す概略図である。
【図５】冷却構造の構成を示す概略図である。
【図６】（Ａ）は冷却装置の構造を説明するための概念図であり、（Ｂ）は仕切り壁が無い場合に起きる現象を説明するための図である。
【図７】（Ａ）乃至（Ｃ）は、複数台の冷却装置を上下方向に配置する場合の冷却構造の変形例を示す図である。
【図８】（Ａ）及び（Ｂ）は複数台の冷却装置を横方向に配置する場合の冷却構造の変形例を示す図である。
【図９】無効電力補償装置を１本の電柱に装荷する場合の構成を示す図である。
【発明を実施するための形態】
【００２２】
以下、図面を参照して、無効電力補償装置等の電力機器に使用される放熱性能の高い本発明の電力変換装置の実施の形態について詳細に説明する。
【００２３】
［無効電力補償装置の構成］
図１は、本発明の電力変換装置が使用される無効電力補償装置の回路図であり、図２（Ａ）乃至（Ｃ）は、実施の形態の無効電力補償装置の外観の正面図、平面図及び左側面図である。図３（Ａ）は、二本の電柱に装荷される第１の実施の形態の無効電力補償装置の内部を透視した概略図であり、図３（Ｂ）は二本の電柱に装荷した実施の形態の無効電力補償装置の装着状況の概略を示す図である。図４は、実施の形態の無効電力補償装置のインバータ用ケースの内部の配置構成を示す概略図である。なお、図３（Ａ）及び（Ｂ）並びに図４では、説明の便宜上、各機器を接続しているケーブル類の図示は省略しており、高圧ブッシング、変成器の固定具、その他の各部品の固定具は省略している。また（Ａ）及び（Ｂ）並びに図４では、図示の関係から便宜上各部品の大きさ及び配置位置は異なっている。
【００２４】
図１乃至図４に示すように無効電力補償装置１は、６．６ｋＶの系統２と接続されて、系統２の無効電力を補償するものであり、変圧器３と、電力変換器５と、直流リアクトル装置７と、変成器（ＶＣＴ）９と、インバータ制御部１１と、制御ユニット１２と、油入収納ケース１３と、インバータ用ケース１５とを備えている。変圧器３は、３巻線変圧器であり、一次側が系統に電気的に接続されるものである。電力変換器５は、変圧器３の二次側に交流側が接続されている。直流リアクトル装置７は、電力変換器５の直流側に接続されている。変成器９は、系統２の電圧値及び電流値を検知するためのものであり、計器用変圧器９Ａと計器用変流器９Ｂとから構成されており、変圧器３と後述の高圧ブッシングとの間に接続され、制御ユニット１２内の機器に接続されている。制御ユニット１２には、後述の柱上高圧遮断器等の無効電力補償装置１の各種設定・制御を行うための機器が収納されており、図３に示すように、無効電力補償装置１とは分けて配置されるものである。制御ユニット１２内の機器は、インバータ制御部１１とも接続されており、変成器９によって得られた電圧値及び電流値をインバータ制御部１１に出力している。インバータ制御部１１は、電圧値及び電流値に基づいて、電力変換器５を制御する制御信号を出力する。なお図２乃至図４においては、インバータ制御部１１は制御ユニット１２内に内蔵されているものとして図示を省略してある。
【００２５】
図２（Ａ）乃至（Ｃ）に示すように、油入収納ケース１３は、鉄板を加工して形成された直方体形状であり、各機器を収納し、絶縁油を充填した状態で鉄製の蓋を構成する上壁を閉じて密封するものである。油入収納ケース１３内には、変圧器３と、直流リアクトル装置７と、変成器９（計器用変圧器９Ａと計器用変流器９Ｂ）とが絶縁油と一緒に収納されている。このことにより、各機器の絶縁距離を短くし、油入収納ケース１３内にコンパクトに各機器を収納できる。重量の重い変圧器３は、油入収納ケース１３の底部に配置されており、変成器９及び直流リアクトル装置７は、変圧器３の上に並んで設置されている。本実施の形態で用いる直流リアクトル装置７は、小型であるため、変圧器３の上に設置することが可能になっており、直流リアクトル装置７は横向きに配置されている。さらに本実施の形態では、変圧器３の上の直流リアクトル装置７と、計器用変圧器９Ａと、計器用変流器９Ｂとを絶縁距離を考慮して省スペースで配置する構成としている。油入収納ケース１３の上壁１３Ｂには、変圧器３の一次側と電気的に接続された３本の高圧ブッシング１７が設けられている。油入収納ケース１３の側壁１３Ａには、インバータ用ケース１５と接続する接続部１９が設けられている。
【００２６】
電力変換器５は、それぞれ直流側が直列接続された２台の自励式電流形インバータ回路２１Ａ，２１Ｂを備えた２台のインバータ装置５Ａ及び５Ｂから構成されている。本実施の形態では、２台のインバータ装置５Ａ及び５Ｂが組になって１つのインバータユニットを構成している。なお図１には、図示を簡略化するためにインバータ装置と自励式電流形インバータ回路を代表する表記として「インバータ」の表記をしている。自励式電流形インバータ回路２１Ａ，２１Ｂはそれぞれ１５０ｋＶＡであり、直流側が直列接続されることによって、電力変換器５は、３００ｋＶＡの定格補償容量を有している。直流リアクトル装置７は、自励式電流形インバータ回路２１Ａ，２１Ｂに直列接続された１台の直流リアクトル２３からなる。このように構成することで、自励式電流形インバータ回路が１台の場合と比較して、自励式電流形インバータ回路２１Ａ，２１Ｂを構成する各素子（ＩＧＢＴ）の耐電圧を１／２に下げることができる。また、１台の直流リアクトルで直流リアクトル装置７を構成することができ、また、１台の直流リアクトルに流れる電流値を１／２に下げることができる。
【００２７】
図２（Ａ）乃至（Ｃ）、図３（Ａ）及び図４に示すように、インバータ用ケース１５内には、自励式電流形インバータ回路２１Ａ，２１Ｂ及びインバータ制御部１１が収納されている制御ユニット１２が配置されている。インバータ用ケース１５の側壁１５Ａには、自励式電流形インバータ回路２１Ａ，２１Ｂが発する熱を冷却する２台の冷却装置３０Ａ及び３０Ｂの主要部を内部に備えた風洞１６が設けられている。なお冷却装置３０Ａ及び３０Ｂの詳細については後述する。
【００２８】
また図２（Ａ）乃至（Ｃ）並びに図３（Ａ）及び図４に示すように、インバータ用ケース１５の点検用扉１８には、インバータ用ケース１５内の温度を下げるために外気と熱交換を行う熱交換器２０Ａ及び２０Ｂが設置されている。またインバータ用ケース１５内には、熱交換器２０Ａ及び２０Ｂに対してインバータ用ケース１５内の空気を接触させるためにインバータ用ケース１５内で空気を循環させる空気循環装置２２［図３（Ａ）及び図４］が配置されている。この空気の流れは、図２（Ｃ）及び図４に符号ＦＰで指した破線で示す流路となる。具体的には、２台の冷却装置３０Ａ，３０Ｂの装着部分３１ａ，３１ｂに装着された複数の電力変換素子を含むインバータ回路と制御ユニットとが、両者間に空気の循環路を形成するように間隔をあけて配置されている。このようにするとインバータ用ケース１６内を密封状態にした場合に、電力変換素子から出る熱の一部がインバータ用ケース内に局部的に留まることを防止して、温度上昇が原因になって発生する回路または電子部品の誤動作の発生を防止できる。
【００２９】
このようにするとインバータ用ケース１５内を密封状態にすることができるので、電力変換器５の防塵及び防水を完全なものとすることができる。
【００３０】
本実施の形態の無効電力補償装置１は、油入収納ケース１３とインバータ用ケース１５とを分離した状態の分離型である。本実施の形態の無効電力補償装置１は、２本の電柱２７，２７の間に装架されている。高圧ブッシング１７が、系統２と接続された柱上高圧遮断器ＨＣに接続されており、柱上高圧遮断器ＨＣを介して、無効電力補償装置１が系統２と接続されている。
【００３１】
［冷却構造１］
本実施の形態の電力変換装置では、それぞれ冷却装置３０Ａ及び３０Ｂを備えた２台のインバータ装置５Ａ及び５Ｂと、２台のインバータ装置５Ａ及び５Ｂのそれぞれのインバータ回路２１Ａ及び２１Ｂに含まれる複数の電力変換素子を制御するインバータ制御部１１を含む制御ユニット１２と、２台のインバータ装置５Ａ及び５Ｂの冷却装置３０Ａ及び３０Ｂの図示しない複数の電力変換素子を装着するヒートシンク３１Ａ及び３１Ｂの装着部分３１ａ及び３１ｂが少なくとも収納されている。
【００３２】
本実施の形態の電力変換装置では、図４及び図５に示すように、２台のインバータ装置５Ａ及び５Ｂの２台の冷却装置３０Ａ及び３０Ｂが、それぞれ装着部分３１ａ及び３１ｂを有するヒートシンク３１Ａ及び３１Ｂとヒートシンク３１Ａ及び３１Ｂの放熱フィンに空冷用空気を吹き付けるようにヒートシンク３１Ａ及び３１Ｂに沿って並ぶ複数台の送風機（図６）を備えた強制空冷装置３２Ａ及び３２Ｂを有している。送風機としては、主として軸流送風機を用いることができるが、送風機として遠心送風機、斜流送風機等を用いてもよいのは勿論である。
【００３３】
そして図５に示すように、インバータ用ケース１５の側壁１５Ａに設けられた風洞１６には、上下方向に並んで配置された２台の冷却装置３０Ａ及び３０Ｂのための吸気口ＩＮと排気口ＯＵＴ１１，ＯＵＴ１２及びＯＵＴ２１、ＯＵＴ２２を備えている。吸気口ＩＮと排気口ＯＵＴ１１，ＯＵＴ１２及びＯＵＴ１２、ＯＵＴ２２は、鳥の侵入を防ぐために、網によって覆われている。なお図５には、これら吸気口及び排気口は、図示を簡略化するために、積極的には図示していない。
【００３４】
風洞１６の内部には、２台の冷却装置３０Ａ及び３０Ｂのヒートシンク３１Ａ及び３１Ｂの装着部分３１ａ及び３１ｂを除く主要部（３１Ａ〜３２Ｂ）が収容されている。一方の冷却装置３０Ａと、他方の冷却装置３０Ｂの間には、内部空間Ｓが形成されている。
【００３５】
本実施の形態では、吸気口ＩＮは、風洞１６のインバータ用ケース１５の側壁１５Ａと対向しない一つの側面１６Ｃに開口している。排気口ＯＵＴ１１及びＯＵＴ２１は、風洞１６の一つの側面１６Ｃと対向する他の側面１６Ｄに開口している。また本実施の形態では、２台の冷却装置３０Ａ及び３０Ｂが上下方向に並んでいる場合において、風洞１６の底部１６Ａと上部１６Ｂに、一対の開口部ＯＰ１及びＯＰ２を有しており、一対の開口部ＯＰ１及びＯＰ２がそれぞれ排気口ＯＵＴ１２及びＯＵＴ２２の少なくとも一部を構成している。この構造を採用することにより、２台の冷却装置３０Ａ及び３０Ｂの間に設けられた内部空間Ｓ吸い込んだ空気を２台の冷却装置３０Ａ及び３０Ｂに対して風洞１６にそれぞれ設けられた１以上の排気口ＯＵＴ１１，１２及びＯＵＴ２１，２２から外部空間ＯＳに排気するので、１つの内部空間を吸い込み流路として兼用することができる。そして内部空間Ｓの容積を大きくして複数台の送風機からヒートシンクに十分な空気を送風することができるようにしたとしても、２台の冷却装置３０Ａ及び３０Ｂが並ぶ方向の風洞１６の寸法をコンパクトにすることができる。その結果、本発明によれば、電力変換装置の放熱性能を高めて、しかも寸法もコンパクトに構成することができる。また、この構造を採用すると、上側に位置する開口部ＯＰ１から雨水が入ると、雨水は２台の冷却装置３０Ａ及び３０Ｂを通過して下側の開口部ＯＰ２から流れ落ちることになり、この雨水の流れによって、風洞１６の内部の粉塵を洗い流すことが可能になる。
【００３６】
本実施の形態では、図２（Ｂ）に示すように、インバータ用ケース１５は風洞１６に設けた排気口ＯＵＴ１１，ＯＵＴ２１が油入収納ケース１３の外面に排出空気を当てるように配置されている。このように風洞１６からの排気が油入収納ケース１３に当たっても、油入収納ケース１３の熱容量は大きいため、油入収納ケース１３の温度上昇には殆ど影響がない。そしてこの配置によれば、外の風が強いときに、油入収納ケース１３が排気口ＯＵＴ１１，ＯＵＴ２１に強い風が直接当たることを防ぐ防護壁として機能する効果が得られる。
【００３７】
［冷却装置の構造］
図６（Ａ）は、本実施の形態で採用している冷却装置の構造を説明するための概念図である。本実施の形態では、２台の冷却装置３０Ａ，３０Ｂは１以上のインバータユニットＩＵのインバータ装置の２台の冷却装置３０Ａ（３０Ｂ）が上下方向に並んでいる場合において、ヒートシンク３１Ａ（３１Ｂ）は、上下方向と直交する水平方向に延びており、且つ熱伝達流体が内部を循環する構造を有しているものを用いている。この場合には、強制冷却装置３２Ａ（３２Ｂ）の複数の送風機Ｆ１乃至Ｆ４と対応するヒートシンク３１Ａ（３１Ｂ）との間の空間Ｓ１は、複数の送風機Ｆ１乃至Ｆ４毎に個別の流路を構成するように複数の仕切り壁３４によって仕切られている。図６（Ｂ）のように仕切り壁を設けない場合には、複数台の送風機Ｆ１乃至Ｆ４のうち１台の送風機Ｆ２が故障により停止すると、健全な送風機Ｆ１，Ｆ３及びＦ４から送り出した送風が停止した送風機Ｆ２を回転させて、逆流を生じさせる。これに対して仕切り壁３４を設けると、複数台の送風機Ｆ１乃至Ｆ４のうち１台の送風機Ｆ２が故障により停止したときでも、健全な送風機Ｆ１，Ｆ３及びＦ４から送り出した送風が停止した送風機Ｆ２を回転させて、逆流を生じさせることを防止できる。また仕切り壁３４を設けても、ヒートシンク３１Ａが部分的に冷却されないだけで、ヒートシンク３１Ａ内の熱伝達流体はヒートシンク全体を流れているので、結果としてヒートシンク３１Ａは全体に冷却される。
【００３８】
上記実施の形態では、２台の冷却装置３０Ａ及び３０Ｂを備えているが、冷却装置の数は２台に限定されるものではなく、Ｎ台（Ｎは２以上の整数）以上の冷却装置が、上下方向に並べられて配置されていてもよい。
【００３９】
［冷却構造の変形例］
図７は、複数台の冷却装置を上下方向に配置する場合の冷却構造の変形例を示している。図７（Ａ）の例は、風洞１６の底部１６Ａが構造物または設置物によって閉塞されている場合であり、この場合には吸気口ＩＮと３つの排気口ＯＵＴ１１、ＯＵＴ１２及びＯＵＴ２を備えている。図７（Ｂ）の例は、２つのインバータユニットＩＵにおける、４台のインバータ装置の４台の冷却装置３０Ａ乃至３０Ｄが上下方向に配置されており、風洞１６の底部１６Ａと上部１６Ｂが構造物または設置物によってそれぞれ閉塞されている場合である。この例では、冷却装置３０Ｂからの排気が冷却装置３０Ｃに当たることを遮る、また、冷却装置３０Ｃからの排気が冷却装置３０Ｂに当たることを遮る、空間分離壁３３が設けられている。この場合には２つの吸気口ＩＮ１及びＩＮ２と４つの排気口ＯＵＴ１乃至ＯＵＴ４を備えている。
【００４０】
図８（Ａ）乃至（Ｃ）は、複数台の冷却装置を横方向に配置する場合の冷却構造の変形例を示している。図８（Ａ）の例は、冷却構造の平面図であり、１つのインバータユニットＩＵにおける２台のインバータ装置の２台の冷却装置３０Ａ及び３０Ｂを横方向に配置している。この場合には、吸気口ＩＮと、２つの排気口ＯＵＴ１及びＯＵＴ２を備えている。図８（Ｂ）の例は、冷却構造の平面図であり、２つのインバータユニットＩＵにおける、４台のインバータ装置の４台の冷却装置３０Ａ乃至３０Ｄを横方向に配置している。この場合には、２つの吸気口ＩＮ１及びＩＮ２と、４つの排気口ＯＵＴ１乃至ＯＵＴ４を備えている。図８（Ｃ）の例は、冷却構造の正面図であり、２台の冷却装置３０Ａ及び３０Ｂを横方向に配置している。この場合には、吸気口ＩＮと、２つの排気口ＯＵＴ１及びＯＵＴ２を備えている。横方向に配置される複数台の冷却装置の台数は任意である。
【００４１】
図９は、２台の冷却装置を上下方向に配置する場合の冷却構造の変形例を示している。風洞１６は、１つのインバータユニットの２台の冷却装置３０Ａ，３０Ｂが並ぶ並設方向の両端に一対の開口部ＯＰ１及びＯＰ２を有している。そして風洞１６の内部には、並設方向及び複数の送風機が並ぶ方向と直交する方向に延びて、一対の開口部ＯＰ１及びＯＰ２と風洞の内部空間Ｓを二分する空間分離壁３４が設けられている。空間分離壁３４は、１つのインバータユニットの２つのヒートシンク３１Ａ，３１Ｂ及び２つの強制空冷装置３２Ａ、３２Ｂに含まれる複数の送風機それぞれの機能を阻害しないように構成されている。具体的には、空間分離壁３４が設けられることにより、内部空間Ｓ１及びＳ２が形成されている。この場合には、２つの吸気口ＩＮ１及びＩＮ２と、４つの排気口１１，１２，２１，２２を備えている。また、この構成を採用すると、風洞１６の内部に上下方向に貫通する２本の流路を構成することができる。この２本の流路は、電力変換装置が屋外に配置された場合には、雨水が横断面積が小さい２本の流路内を全体的に流れるため、雨水による洗浄を偏りなく実施することができる。
【００４２】
［電力変換装置の適用例］
上記実施の形態では、無効電力補償装置１の電力変換装置に本発明を提供したが、本発明の電力変換装置は、複数台のインバータ装置を使用する電源設備、電力機器その他の電気機器にも当然にして適用することができる。
【産業上の利用可能性】
【００４３】
本発明によれば、２台の冷却装置の間に設けられた内部空間に吸い込んだ空気を２台の冷却装置に対して風洞にそれぞれ設けられた１以上の排気口から外部空間に排気するので、１つの内部空間を吸い込み流路として兼用することができる。そして内部空間の容積を大きくして複数台の送風機からヒートシンクに十分な空気を送風することができるようにしたとしても、２台の冷却装置が並ぶ方向の風洞の寸法をコンパクトにすることができる。その結果、本発明によれば、電力変換装置の放熱性能を高めて、しかも寸法もコンパクトに構成することができる。
【符号の説明】
【００４４】
１  無効電力補償装置
２  系統
３  変圧器
５  電力変換器
７  直流リアクトル装置
９  変成器
１１  インバータ制御部
１２  制御ユニット
１３  油入収納ケース
１５  インバータ用ケース
１６  風洞
２７  電柱
３０Ａ乃至３０Ｃ  冷却装置
３１Ａ及び３１Ｂ  ヒートシンク
３２Ａ及び３２Ｂ  強制空冷装置
３３  空間分離壁
【図１】
2018186602.tif 000003
【図２】
2018186602.tif 000004
【図３】
2018186602.tif 000005
【図４】
2018186602.tif 000006
【図５】
2018186602.tif 000007
【図６】
2018186602.tif 000008
【図７】
2018186602.tif 000009
【図８】
2018186602.tif 000010
【図９】
2018186602.tif 000011